(57)【要約】【課題】送信証用のヘッダー部の情報と、画像データとをリンクさせるためのリンク情報を別に格納する必要がない、ファクシミリ装置などの通信端末装置を提供する。【解決手段】ファクシミリ装置２０の主制御部１は、送信用原稿画像を読み取るとき、当該原稿画像のページ毎に、ジョブ番号、ページ数及び宛先を含む送信証用ヘッダー部の画像をヘッダー部の画像データに符号化して記憶装置に格納した後（ステップＳ２）、当該ページの原稿画像を読み取って送信用画像データに符号化し、符号化された送信用画像データに送信用ヘッダー部の画像データを付加して画像メモリ８に格納する（ステップＳ３）ように制御することを特徴としている。次いで、主制御部１は、送信用画像データのページ毎に、ヘッダー部の画像データが付加された送信用画像データのうちヘッダー部の画像データを読み飛ばして、送信用画像データのみを相手先に送信する（ステップＳ７，Ｓ９）。【選択図】  図２
2004235852.tif 000002
【特許請求の範囲】
【請求項１】
送信用原稿画像を読み取るとき、当該原稿画像のページ毎に、ジョブ番号及びページ数を含むヘッダー部の画像をヘッダー部の画像データに符号化して記憶装置に格納した後、当該ページの原稿画像を読み取って送信用画像データに符号化し、上記符号化された送信用画像データに上記ヘッダー部の画像データを付加して上記記憶装置に格納するように制御する制御手段を備えたことを特徴とする通信端末装置。
【請求項２】
上記制御手段は、上記送信用画像データのページ毎に、上記ヘッダー部の画像データが付加された送信用画像データのうちヘッダー部の画像データを読み飛ばして、上記送信用画像データのみを相手先に送信するように制御することを特徴とする請求項１記載の通信端末装置。
【請求項３】
上記ヘッダー部は宛先をさらに含むことを特徴とする請求項１又は２記載の通信端末装置。
【請求項４】
上記制御手段は、上記送信用画像データのページ毎に、上記送信用画像データを送信する前に、ＴＴＩ（Ｔｒａｎｓｍｉｔｔｅｒ  Ｔｅｒｍｉｎａｌ  Ｉｄｅｎｔｉｆｉｃａｔｉｏｎ：発信元名称記録）の画像データを上記送信用画像データに付加した後、上記送信用画像データを送信するように制御する請求項１乃至３のうちの少なくとも１つに記載の通信端末装置。
【請求項５】
上記制御手段は、送信証のプリント指示に基づいて、上記送信の通信結果に加えて、上記記憶装置に格納された、ヘッダー部の画像データを付加した送信用画像データを送信証としてプリントするように制御することを特徴とする請求項４記載の通信端末装置。
【発明の詳細な説明】
【０００１】
【発明の属する技術分野】
本発明は、送信証プリント機能を備えたファクシミリ装置などの通信端末装置に関する。
【０００２】
【従来の技術】
従来から、ファクシミリ装置などの通信端末装置間で相互に送信が実行される毎に、送信したことを証明する、送信画像付きのレポートである送信証（又は送信結果レポート）をプリントする通信端末装置が実用化されている（例えば、特許文献１参照。）。
【０００３】
【特許文献１】
特開平１１−２５２３４７号公報。
【０００４】
【発明が解決しようとする課題】
従来技術の通信端末装置では、送信時にヘッダー部の画像データを作成して送信用画像データに付加して送信しているため、送信証用のヘッダー部の情報と、画像データとをリンクさせるためのリンク情報を別に格納する必要があった。
【０００５】
本発明の目的は以上の問題点を解決し、送信証用のヘッダー部の情報と、画像データとをリンクさせるためのリンク情報を別に格納する必要がない、ファクシミリ装置などの通信端末装置を提供することにある。
【０００６】
【課題を解決するための手段】
本発明に係る通信端末装置は、送信用原稿画像を読み取るとき、当該原稿画像のページ毎に、ジョブ番号及びページ数を含むヘッダー部の画像をヘッダー部の画像データに符号化して記憶装置に格納した後、当該ページの原稿画像を読み取って送信用画像データに符号化し、上記符号化された送信用画像データに上記ヘッダー部の画像データを付加して上記記憶装置に格納するように制御する制御手段を備えたことを特徴とする。
【０００７】
上記通信端末装置において、上記制御手段は、上記送信用画像データのページ毎に、上記ヘッダー部の画像データが付加された送信用画像データのうちヘッダー部の画像データを読み飛ばして、上記送信用画像データのみを相手先に送信するように制御することを特徴とする。
【０００８】
また、上記通信端末装置において、上記ヘッダー部は宛先をさらに含むことを特徴とする。
【０００９】
さらに、上記通信端末装置において、上記制御手段は、上記送信用画像データのページ毎に、上記送信用画像データを送信する前に、ＴＴＩ（Ｔｒａｎｓｍｉｔｔｅｒ  Ｔｅｒｍｉｎａｌ  Ｉｄｅｎｔｉｆｉｃａｔｉｏｎ：発信元名称記録）の画像データを上記送信用画像データに付加した後、上記送信用画像データを送信するように制御する。
【００１０】
またさらに、上記通信端末装置において、上記制御手段は、送信証のプリント指示に基づいて、上記送信の通信結果に加えて、上記記憶装置に格納された、ヘッダー部の画像データを付加した送信用画像データを送信証としてプリントするように制御することを特徴とする。
【００１１】
【発明の実施の形態】
以下、図面を参照して本発明に係る実施形態について説明する。
【００１２】
＜実施形態＞
図１は、本発明に係る実施形態である、送信証プリント機能を有するファクシミリ装置２０の構成を示すブロック図である。
【００１３】
本実施形態に係るファクシミリ装置２０の主制御部１は、送信用原稿画像を読み取るとき、当該原稿画像のページ毎に、ジョブ番号、ページ数及び宛先を含む送信証用ヘッダー部の画像をヘッダー部の画像データに符号化して記憶装置に格納した後（図２のステップＳ２）、当該ページの原稿画像を読み取って送信用画像データに符号化し、上記符号化された送信用画像データに上記送信用ヘッダー部の画像データを付加して画像メモリ８に格納する（ステップＳ３）ように制御することを特徴としている。次いで、主制御部１は、上記送信用画像データのページ毎に、上記ヘッダー部の画像データが付加された送信用画像データのうちヘッダー部の画像データを読み飛ばして、上記送信用画像データのみを相手先に送信する（ステップＳ７，Ｓ９）ように制御する。ここで、上記送信用画像データのページ毎に、上記送信用画像データを送信する前に、ＴＴＩ（Ｔｒａｎｓｍｉｔｔｅｒ  Ｔｅｒｍｉｎａｌ  Ｉｄｅｎｔｉｆｉｃａｔｉｏｎ：発信元名称記録）の画像データを上記送信用画像データに付加した後、上記送信用画像データを送信する（ステップＳ８）。さらに、主制御部１は、送信証のプリント指示に基づいて、上記送信の通信結果に加えて、上記記憶装置に格納された、ヘッダー部の画像データを付加した送信用画像データを送信証としてプリントするように制御する（図３のステップＳ２１−Ｓ２３）。
【００１４】
図１において、ファクシミリ装置２０は、従来のＧ３方式等のファクシミリ通信機能を備えるとともに、送信証プリント機能を備えている。主制御部１は具体的にはＣＰＵで構成されており、バス１３を介して以下のハードウェア各部と接続されていてそれらを制御するほか、後述する種々のソフトウェアの機能を実行する。画像読取部２は、ＣＣＤ等を利用したスキャナで原稿を読み取り、白黒２値に変換したドットイメージデータを出力する。画像記録部３は電子写真方式等のプリンタ装置であり、他のファクシミリ装置からファクシミリ通信により受信したイメージデータをハードコピーとしてプリントアウトして記録する。表示部４は、液晶表示装置（ＬＣＤ）又はＣＲＴディスプレイ等の表示装置であり、当該ファクシミリ装置２０の動作状態を表示したり、送信すべき原稿のイメージデータ、及び受信したイメージデータの表示を行う。
【００１５】
操作部５は、当該ファクシミリ装置２０を操作するために必要な文字キー、ダイヤル用テンキー、短縮ダイヤルキー、ワンタッチダイヤルキー、及び各種のファンクションキー等を備える。なお、上述の表示部４をタッチパネル方式とすることにより、この操作部５の各種キーの内の一部又は全部を代用するように構成してもよい。
【００１６】
ＲＯＭ６は、当該ファクシミリ装置２０の動作に必要であって主制御部１によって実行される種々のソフトウェアのプログラムを予め格納し、ここで、当該プログラムは、少なくとも図２のファクシミリ送信処理及び図３の送信証プリント処理のプログラムを含む。ＲＡＭ７は、ＳＲＡＭ又はフラッシュメモリ等で構成され、主制御部１のワーキングエリアとして使用されてプログラムの実行時に発生する一時的なデータを記憶する。ここで、ＲＡＭ７は、通信管理テーブル７ａを含む。なお、ＲＡＭ７としてフラッシュメモリを使用した場合には、停電、装置の移動等のために電源が遮断された場合にもそのデータの内容が失われない。画像メモリ８はＤＲＡＭ等で構成され、送信すべきイメージデータ又は受信したイメージデータを記憶する。なお、ＲＡＭ７及び画像メモリ８をハードディスクメモリで構成してもよい。
【００１７】
ファックスモデム１０は、公衆電話回線Ｌに接続され、通常のファクシミリ通信用のファックスモデムの機能を有するモデムであり、ＦＳＫ信号として受信される発信電話番号情報のデータを復調して主制御部１に出力する。ＮＣＵ（ネットワーク制御回路：Ｎｅｔｗｏｒｋ  Ｃｏｎｔｒｏｌ  Ｕｎｉｔ）１１はアナログの公衆電話回線Ｌの直流ループなどの閉結及び開放の動作を行いかつ自動ダイヤル機能を有するハードウェア回路であり、必要に応じてファックスモデム１０を公衆電話回線Ｌに接続する。ここで、ＮＣＵ１１は、発信電話番号通知サービスにおけるＩＤ受信端末起動信号、通常の電話呼出信号の検出を行うとともに、必要に応じて発信電話番号通知サービスにおける１次応答信号及び２次応答信号を発信することができる。なお、ＮＣＵ１１を所定のターミナルアダプタ及びＤＳＵ（加入者線終端装置：Ｄｉｇｉｔａｌ  Ｓｅｒｖｉｃｅ  Ｕｎｉｔ）を介して、ベースバンド伝送方式のデジタル回線（例えば、ＩＳＤＮ回線）に接続するようにしてもよい。
【００１８】
以上のように構成された本実施形態のファクシミリ装置２０は、通常のＧ３方式等のファクシミリ通信機能に加えて、送信証プリント機能を有している。ファクシミリ通信機能において、画像読取部２により読み取られたドットイメージデータはファクシミリ通信の規格で定められているＭＨ，ＭＲ，ＭＭＲ等の符号化方式に従ってソフトウェアにより符号化された後、相手先のファクシミリ装置に送信される一方、逆に相手先のファクシミリ装置から受信した符号化データもソフトウェアによりイメージデータに復号化されて画像記録部３からハードコピーとして出力される。なお、画像メモリ８はイメージデータを必要に応じて記憶し、また逆に記憶しているイメージデータを必要に応じて出力する。
【００１９】
図１の通信管理テーブル７ａは、送信又は受信の通信毎に、通信の宛先（名称又は電話番号を含む）、送信又は受信枚数、通信結果（ＯＫ、ＮＧ、通信エラー、通信エラーコードなど）などの情報を格納している。
【００２０】
図２は、図１のファクシミリ装置２０の主制御部１によって実行されるファクシミリ送信処理を示すフローチャートである。
【００２１】
図２において、まず、ステップＳ１においてスタートキーをオンしたか否かが判断され、ＹＥＳとなるまでステップＳ１の処理を繰り返し、ＹＥＳとなったとき、ステップＳ２に進み、ジョブ番号、ページ数及び宛先を含む送信証用ヘッダー部の画像を符号化して画像メモリ８に送信証用ヘッダー部の画像データとして格納する。次いで、ステップＳ３において原稿画像を読み取って画像データに変換して符号化し、符号化された画像データに送信証用ヘッダー部の画像データを付加して（好ましくは、原稿画像の上部に上書きして、又は追加して、付加する）画像メモリ８に送信用画像データとして格納する。そして、ステップＳ４において次のページがあるか否かが判断され、ＹＥＳのときはステップＳ２に戻る一方、ＮＯのときはステップＳ５に進む。
【００２２】
次いで、ステップＳ５において相手先のファクシミリ番号をダイヤルして発呼し、ステップＳ６においてファクシミリのハンドシェーク処理を実行し、ステップＳ７において送信用画像データを画像メモリ８から読み出すとき、送信用ヘッダー部の画像データを読みとばす。さらに、ステップＳ８においてＴＴＩを送信用画像データに付加し、ステップＳ９において、ＴＴＩが付加された送信用画像データをファクシミリ送信する。そして、ステップＳ１０において次のページがあるか否かが判断され、ＹＥＳのときはステップＳ７に進む一方、ＮＯのときはステップＳ１１に進む。ステップＳ１１においてファクシミリのポストメッセージ処理を実行し、ステップＳ１２において回線開放し、ステップＳ１３において、ＯＫ又はＮＧなどの通信結果を通信管理テーブル７ａに格納し、ステップＳ１戻る。
【００２３】
図２のステップＳ８において、ＴＴＩを送信用画像データに付加しているが、付加しないようにしてもよい。
【００２４】
図３は、図１のファクシミリ装置２０の主制御部１によって実行される送信証プリント処理を示すフローチャートである。
【００２５】
図３のステップＳ２１において送信証のプリントキーをオンしたか否かが判断され、ＹＥＳとなるまでステップＳ２１の処理を繰り返し、ＹＥＳとなったとき、ステップＳ２２において通信管理テーブル７ａ内の通信結果に基づいて、通信結果を含む送信証を画像記録部３を用いてプリントする。次いで、ステップＳ２３において、送信証用ヘッダー部の画像データが付加された送信用画像データを画像記録部３を用いてプリントする。そして、ステップＳ２４において次のページがあるか否かが判断され、ＹＥＳのときはステップＳ２２に進む一方、ＮＯのときはステップＳ２５に進む。ステップＳ２５において上記プリントした、対応する画像データを画像メモリ８から消去し、ステップＳ２１に戻る。
【００２６】
以上説明したように、本実施形態によれば、ファクシミリ装置２０の主制御部１は、送信用原稿画像を読み取るとき、当該原稿画像のページ毎に、ジョブ番号、ページ数及び宛先を含む送信証用ヘッダー部の画像をヘッダー部の画像データに符号化して記憶装置に格納した後（図２のステップＳ２）、当該ページの原稿画像を読み取って送信用画像データに符号化し、上記符号化された送信用画像データに上記送信用ヘッダー部の画像データを付加して画像メモリ８に格納する（ステップＳ３）ように制御することを特徴としている。次いで、主制御部１は、上記送信用画像データのページ毎に、上記ヘッダー部の画像データが付加された送信用画像データのうちヘッダー部の画像データを読み飛ばして、上記送信用画像データのみを相手先に送信する（ステップＳ７，Ｓ９）ように制御する。ここで、上記送信用画像データのページ毎に、上記送信用画像データを送信する前に、ＴＴＩ（Ｔｒａｎｓｍｉｔｔｅｒ  Ｔｅｒｍｉｎａｌ  Ｉｄｅｎｔｉｆｉｃａｔｉｏｎ：発信元名称記録）の画像データを上記送信用画像データに付加した後、上記送信用画像データを送信する（ステップＳ８）。さらに、主制御部１は、送信証のプリント指示に基づいて、上記送信の通信結果に加えて、上記記憶装置に格納された、ヘッダー部の画像データを付加した送信用画像データを送信証としてプリントするように制御する（図３のステップＳ２１−Ｓ２３）。
【００２７】
従って、送信用のための画像データをプリントすると、その画像データの画像には送信証用のヘッダー部の画像が付加されているので、送信証と、原稿画像とを別に管理する必要がなく、すなわち、送信証用のヘッダー部の情報と、画像データとをリンクさせるためのリンク情報を別に格納する必要がない。これにより、画像データの管理が容易になり、装置内部の処理を簡単化できる。
【００２８】
＜変形例＞
以上の実施形態においては、ファクシミリ装置２０の例について述べているが、本発明はこれに限らず、公衆電話網又は公衆デジタル回線網などの公衆網に接続された、例えば電話機、データ通信装置などを含む通信端末装置に適用することができる。
【００２９】
以上の実施形態においては、送信証用ヘッダー部の画像はジョブ番号、ページ数及び宛先を含んでいるが、本発明はこれに限らず、少なくともジョブ番号、ページ数を含むように構成してもよい。
【００３０】
【発明の効果】
以上詳述したように本発明に係る通信端末装置によれば、送信用原稿画像を読み取るとき、当該原稿画像のページ毎に、ジョブ番号及びページ数を含むヘッダー部の画像をヘッダー部の画像データに符号化して記憶装置に格納した後、当該ページの原稿画像を読み取って送信用画像データに符号化し、上記符号化された送信用画像データに上記ヘッダー部の画像データを付加して上記記憶装置に格納するように制御する制御手段を備える。ここで、上記制御手段は、上記送信用画像データのページ毎に、上記ヘッダー部の画像データが付加された送信用画像データのうちヘッダー部の画像データを読み飛ばして、上記送信用画像データのみを相手先に送信するように制御する。また、上記ヘッダー部は宛先をさらに含む。さらに、上記制御手段は、上記送信用画像データのページ毎に、上記送信用画像データを送信する前に、ＴＴＩ（Ｔｒａｎｓｍｉｔｔｅｒ  Ｔｅｒｍｉｎａｌ  Ｉｄｅｎｔｉｆｉｃａｔｉｏｎ：発信元名称記録）の画像データを上記送信用画像データに付加した後、上記送信用画像データを送信するように制御する。またさらに、上記制御手段は、送信証のプリント指示に基づいて、上記送信の通信結果に加えて、上記記憶装置に格納された、ヘッダー部の画像データを付加した送信用画像データを送信証としてプリントするように制御する。
【００３１】
従って、送信用のための画像データをプリントすると、その画像データの画像には送信証用のヘッダー部の画像が付加されているので、送信証と、原稿画像とを別に管理する必要がなく、すなわち、送信証用のヘッダー部の情報と、画像データとをリンクさせるためのリンク情報を別に格納する必要がない。これにより、画像データの管理が容易になり、装置内部の処理を簡単化できる。
【図面の簡単な説明】
【図１】本発明に係る実施形態である、送信証プリント機能を有するファクシミリ装置２０の構成を示すブロック図である。
【図２】図１のファクシミリ装置２０の主制御部１によって実行されるファクシミリ送信処理を示すフローチャートである。
【図３】図１のファクシミリ装置２０の主制御部１によって実行される送信証プリント処理を示すフローチャートである。
【符号の説明】
１…主制御部、
２…画像読取部、
３…画像記録部、
４…表示部、
５…操作部、
６…ＲＯＭ、
７…ＲＡＭ、
７ａ…通信管理テーブル、
８…画像メモリ、
１０…ファックスモデム、
１１…ＮＣＵ、
１３…バス、
２０…ファクシミリ装置、
Ｌ…公衆電話回線。
【図１】
2004235852.tif 000003
【図２】
2004235852.tif 000004
【図３】
2004235852.tif 000005